(57)【特許請求の範囲】
【請求項１】
鉄塔に支持されるがいし連と、そのがいし連にがいし連側連結金具を介して連結されるヨークと、そのヨークに送電線側連結金具を介して接続され、送電線を引留める耐張クランプとを有する耐張がいし装置において、
前記ヨークは、上下方向に配置された３枚の水平板と、それらの３枚の水平板を前記送電線の線路方向に対して直角方向の長さの中間において接続する１枚の垂直板とで一体成形され、
前記３枚の水平板のうち、中間の水平板は前記送電線の線路方向に対して直角方向の両側に前記がいし連側連結金具を連結する連結部を有するとともに、上側の水平板と下側の水平板は、前記送電線の線路方向に対して直角方向の両側に前記送電線側連結金具を連結する連結部を有し、
前記水平板又は垂直板にアークホーン取付部が設けられていること、
を特徴とする耐張がいし装置。
【請求項２】
垂直板は下側の水平板の下方まで延出され、その延出された部分にジャンパ装置取付部が設けられていることを特徴とする請求項１に記載の耐張がいし装置。
【請求項３】
がいし連側連結金具を連結する連結部と送電線側連結金具を連結する連結部の、送電線の線路方向に対する位置が合致していることを特徴とする請求項１又は２に記載の耐張がいし装置。
【発明の詳細な説明】
【技術分野】
【０００１】
本発明は、鉄塔に送電線を支持するための耐張がいし装置に関する。
【背景技術】
【０００２】
図５及び図６は、鉄塔に４導体を支持する従来の２種類の耐張がいし装置の一例を示す図である。図５は送電線７に耐張クランプ６及び連結金具５を介して連結されるヨーク（以下、ライン側ヨークという。）４Ａが固定ヨークである場合のものであり、同図（ａ）はその耐張がいし装置の平面図、（ｂ）は同じく右側面図である。図６は送電線７に耐張クランプ６及び連結金具５を介して連結されるライン側ヨーク４Ｂが半固定ヨークである場合のものであり、（ａ）は平面図、（ｂ）は右側面図である。
【０００３】
固定ヨークとは、ヨーク本体のがいし連３側の連結金具１０との結合点と、ヨーク本体の送電線７側の連結金具５との結合点の間の距離が一定不変のものをいう。半固定ヨークとは、ヨーク本体に２連ヨークが枢着された回動可能な構造により、ヨーク本体とがいし連側の連結金具との結合点と、２連ヨークと送電線側の連結金具との結合点の間の距離が可変のものをいう。
【０００４】
図５に示す従来の固定ヨークを用いる耐張がいし装置Ａは、鉄塔１に接続されるヨーク（以下、アース側ヨークという。）２と、そのアース側ヨークに一端が結合されたがいし連３と、そのがいし連の他端に連結金具１０を介して連結されたライン側固定ヨーク４Ａと、そのライン側固定ヨークに結合された連結金具５と、その連結金具５に結合された耐張クランプ６とから構成されている。送電線７は、耐張クランプ６により一つの耐張がいし装置Ａに支持される。その固定された送電線７の耐張クランプ６から鉄塔１の方向に延びる部分はジャンパ線８として、鉄塔１を迂回し、その鉄塔の別の位置に取り付けられている他の耐張がいし装置の耐張クランプに締着される。そして、耐張がいし装置Ａのライン側固定ヨーク４Ａには、がいし連の電気的シールドの目的で使用されるアークホーン（以下、単にホーンという。）９と、ジャンパ装置が固定されるが、ホーンはがいし連側の連結金具１０に設けたホーン取付部１０ａにホーン９を取付けている。そして、ジャンパ装置は、固定ヨーク４Ａに設けたリンク１１を用いて取付けられる。
【０００５】
また、図６に示す従来の耐張がいし装置Ｂが用いる半固定ヨーク４Ｂは、がいし連のアース側ヨークと反対側のがいし連側に寄った位置で枢着されたヨーク本体４1 と、そのヨーク本体の両端部にそれぞれ枢着された２連ヨーク４2 ，４3 とで構成され、各２連ヨークの両端部に連結金具５がそれぞれ結合されている。このライン側半固定ヨーク４Ｂの場合は、ヨーク本体４1 にホーン９とジャンパ装置（図示せず）が固定されるが、ホーン９はヨーク本体４1 に一体に形成された取付部にボルトナット等の固着具を用いて取付けられ、ジャンパ装置は、ヨーク本体４1 に設けたリンク１１を用いて取付けられる。
【特許文献１】特になし。
【発明の開示】
【発明が解決しようとする課題】
【０００６】
上述のように、上記従来の固定ヨーク４Ａの場合は、連結金具１０にホーン取付部１０ａを設けたものをヨークから延出するように取付けているから、ホーン取付部を設けるための距離分だけ耐張がいし装置の長さが長くなるという問題があった。
【０００７】
また、上記従来の半固定ヨーク４Ｂの場合は、ホーン９をヨーク本体４1 に直接に取付けるので、がいし連３と半固定ヨーク４Ｂの間の連結金具１０にホーン取付部を設ける必要がないため、耐張がいし装置の長さを短くすることができる。しかし、ヨーク本体４1 と２連ヨーク４2 ，４3 が枢着され、その２連ヨークに連結金具５が結合されているため、耐張がいし装置の連結工事において２連ヨークが回動し易いので、連結金具５を２連ヨーク４2 ，４3 に連結する際は、左右のバランスに注意しながら行う必要があり、工事作業者に大きな負担となるという問題があった。
【０００８】
他方、支持される送電線の数が３以上用の従来のライン側固定ヨークにおいては、ヨークと送電線側の連結金具との結合点が３次元的に配置されるので、ヨークの形状構造は張力に十分に耐え得るものである必要がある。さらに、耐張がいし装置の全長をできるだけ小さくする要請に応える必要がある。
【０００９】
本発明は、上記の欠点を解決するためになされたものである。すなわち、本発明の課題は、耐張がいし装置の全長をできるだけ短くするとともに軽量化を図ること、緊線作業が容易にできるようにすること、そして、ホーンをヨークに容易に取り付けることができるようにすることにある。
【課題を解決するための手段】
【００１０】
上記課題を解決するため、本発明は、鉄塔に支持されるがいし連と、そのがいし連にがいし連側連結金具を介して連結されるヨークと、そのヨークに送電線側連結金具を介して接続され、送電線を引留める耐張クランプとを有する耐張がいし装置において、前記ヨークは、（ａ）上下方向に配置された３枚の水平板と、それらの３枚の水平板を前記送電線の線路方向に対して直角方向の長さの中間において接続する１枚の垂直板とで一体成形され、（ｂ）３枚の水平板のうち中間の水平板は、送電線の線路方向に対して直角方向の両側（以下、単に両側という。）に前記がいし連側連結金具を連結する連結部を有するとともに、上側の水平板と下側の水平板は、両側に前記送電線側連結金具を連結する連結部を有し、水平板又は垂直板にホーン取付部が設けられていることを特徴としている（請求項１）。
上記構成のもとでは、中間の水平板の両側にはがいし連側連結金具を介してがいし連が連結され、上下の水平板の両側には送電線側連結金具を介して送電線が連結される。ヨークにホーンを取り付ける際は、垂直板の両側の３枚の水平板の間の開放されている部分から水平板又は垂直板に設けられているホーン取付部にホーンが直接取付けられる。
【００１１】
本発明は、また、垂直板が下側の水平板の下方まで延出され、その延出された部分にジャンパ装置取付部が設けられていることを特徴としている（請求項２）。
【００１２】
本発明は、さらに、がいし連側連結金具を連結する連結部と送電線側連結金具を連結する連結部の送電線の線路方向に対する位置が合致していることを特徴としている（請求項３）。
【発明の効果】
【００１３】
本発明によれば、水平板又は垂直板にホーン取付部が設けられていて、各水平板の間が線路方向及び線路方向に対して直角方向に開放されているので、水平板又は垂直板に設けられているホーン取付部に容易に、かつ直接に取り付けることができるから、ホーン取付作業性が向上し、また、ホーンの形状・構造の自由度が向上するとともに、耐張がいし装置の長さを短くすることができる。
【発明を実施するための最良の形態】
【００１４】
次に、本発明の実施の形態について図１ないし図４の図面を参照しながら説明する。
図１は本発明に係る耐張がいし装置の一例を示す図であり、（ａ）平面図、（ｂ）は右側面図である。図２は同装置において用いられているライン側固定ヨークの展開図であり、（ａ）は正面図、（ｂ）は平面図、（ｃ）は左側面図である。図３はホーン取付部を水平板に設けた場合の図１のライン側固定ヨークを中心とする拡大図であり、（ａ）は平面図、（ｂ）はその左側面図である。図４はホーン取付部を垂直板に設けた場合の図であり、（ａ）は正面図、（ｂ）は平面図、（ｃ）は左側面図である。
【００１５】
本明細書においては、相対する２つの鉄塔の間に送電線を張設するための耐張がいし装置に関して、その送電線張設方向つまり自鉄塔から相手鉄塔を臨んだ方向を線路方向と定義し、その線路方向に対して上空側と地面側の方向を上下方向と定義し、線路方向に対して水平方向に直交する方向を左右方向と定義する。
【００１６】
図１において、４Ｎは本発明により改良された送電線数４本用のライン側固定ヨークである。この固定ヨーク４Ｎは、図２（ａ）に示すように、上下方向に等間隔で配置された３枚の水平板４ｆ，４ｇ，４ｈと、それらの３枚の水平板を前記送電線の線路方向に対して直角方向の長さの中間において接続する１枚の垂直板４ｉとで、ほぼ王字形に一体に成形されていて、簡単な形状・構造を備えているとともに、各水平板の間が送電線の線路方向及びその線路方向に対して直角な方向に開放されている。
【００１７】
３枚の水平板４ｆ，４ｇ，４ｈのうち、中間の水平板４ｆは上下の水平板４ｇ，４ｈよりも左右方向に長く、その両側にがいし連側連結金具を連結する連結部として、がいし連側連結金具の連結ピンを通すための孔４０１が設けられている。また、上下の水平板４ｇ，４ｈの両側には、送電線側連結金具を連結する連結部として、送電線側連結金具の連結ピンを通すための孔４０２が設けられている。
そして、これらの孔４０１，４０２の線路方向における位置は、図２（ｃ）に示すように、その線路方向に直交する垂直面Ｌ上に存在する。すなわち、オフセットが０である。
【００１８】
そして、上記いずれかの水平板又は垂直板には、ホーン取付部４５が設けられている。ホーン取付部が水平板に設けられた場合は、ホーンの先端が水平面に取り付けられ（この取付態様を便宜的に水平取付という。）、そのホーンはがいし連側に延設される。図１ないし図３は、下側の水平板４ｈにホーン取付部４５が設けられた場合の例を示している。また、ホーン取付部が垂直板に設けられた場合は、ホーンの先端が垂直面に取り付けられ（この取付態様を便宜的に垂直取付という。）、そのホーンはがいし連側に延設される。図４は、垂直板４ｉにホーン取付部４５が設けられた場合の例を示している。図３及び図４において、３０１はがいし連側連結金具であり、５０１は送電線側連結金具の一部であり、９はホーンである。
【００１９】
上述のように、水平取付は、従来のホーン取付と同様であるが、本発明においては、ヨークを開放構造としたことにより、ホーンの３次元曲げ構造に自由度が増し、製作性が向上する。また、垂直取付けにおいては、水平取付と同様にホーン形状に自由度が増すとともに、ヨーク形状にも左右されるが、取付け（固着）のためのボルトの数を半分にすることができ、作業性・製作性・コストの面に利点がある。
【００２０】
さらに、ヨークが開放構造であることにより、ホーン取付けスペースが広がるため、ホーン取付け時の座標位置調整が容易になる。例えば、水平取付けの場合及び垂直取付けの場合、ホーン側の取付け孔を長孔や扇状に配置することにより、ホーン取付け後の座標調整ができる。従って、ホーン設置後に送電線の張力条件によって両ホーン間の間隔調整が必要になった場合は、従来は別の金具を用いて調整をする必要があり、時間がかかったが、本発明によれば、ホーン取付け後の座標調整により施工中のホーン間隔調整が可能になった。
【００２１】
本発明の好ましい実施の形態においては、図２ないし図４に示されているように、垂直板４ｉを下側の水平板４ｈよりも下方に延長し、その延長部分に例えば孔を形成して、ジャンパ装置取付部４６が一体に設けられている。垂直板４ｉを下側の水平板４ｈよりも下方に延長してジャンパ装置取付部４６を一体に形成するので、大きいジャンパ装置支持強度が得られる。
【図面の簡単な説明】
【００２２】
【図１】本発明に係るライン側固定ヨークを用いている耐張がいし装置の一例を示す図であり、（ａ）は平面図、（ｂ）は右側面図。
【図２】図１のライン側固定ヨークの展開図であり、（ａ）は正面図、（ｂ）は平面図、（ｃ）は左側面図。
【図３】図１のライン側固定ヨークを中心とした拡大図であり、（ａ）は平面図、（ｂ）は左側面図である。
【図４】ホーンの垂直取付の例を示す図であり、（ａ）は固定ヨークのみの正面図、（ｂ）はその固定ヨークのがいし連側及び送電線側に連結金具が連結され、ホーンが取付けられた状態の平面図、（ｃ）は同じく左側面図。
【図５】従来の固定ヨークを用いている耐張がいし装置の一例を示す図。
【図６】従来の半固定ヨークを用いている耐張がいし装置の一例を示す図。
【符号の説明】
【００２３】
ＮＡ      耐張がいし装置
２        アース側ヨーク
３        がいし連
４Ｎ      ライン側固定ヨーク
４ｆ      中間の水平板
４ｇ      上側の水平板
４ｈ      下側の水平板
４ｉ      垂直板
４０１    がいし連側連結金具を連結する連結部（がいし連側連結金具取付用孔）
４０２    送電線側連結金具を連結する連結部（送電線側連結金具取付用孔）
４５      ホーン取付部
４６      ジャンパ装置取付部
５        送電線側連結金具
９        ホーン（アークホーン）
１０      がいし連側連結金具
【図１】
0004514729.tif 000002
【図２】
0004514729.tif 000003
【図３】
0004514729.tif 000004
【図４】
0004514729.tif 000005
【図５】
0004514729.tif 000006
【図６】
0004514729.tif 000007